(57)【特許請求の範囲】
【請求項１】
第一の位置２５と第二の位置６０との間で可逆的に変化するように構成されている支持構造２６と、
トランスデューサ素子９２、１０４、１１８の複数Ｎ組の部分群を前記支持構造２６に配置して含む多次元トランスデューサ・アレイであって、前記トランスデューサ素子のＮ組の部分群の各々は、前記トランスデューサ素子のＮ組の部分群の１組とトランスデューサ素子９２、１０４、１１８の少なくとも１組の他の部分群との間に形成される角度９４が約１８０°未満となるような空間的関係として配設され、Ｎは整数である、多次元トランスデューサ・アレイと
を備え、
前記支持構造は、
基部側端部２９及び末梢側端部３１を有する中央案内部材３４と、
前記中央案内部材３４の前記末梢側端部３１に結合するヒンジ接続４２と、
前記中央案内部材３４の軸方向に沿って前記ヒンジ接続４２対して移動可能なように、前記中央案内部材３４に結合する摺動部材４０と、
前記末梢側端部３１の近くで前記ヒンジ接続４２を介して前記中央案内部材に移動自在に結合されている複数の第１の支柱３６と、
前記摺動部材４０を介して前記中央案内部材に移動自在に結合され、前記複数の第１の支柱３６と結合されている複数の第２の支柱３６と、
を含む、
トランスデューサ・アセンブリ。
【請求項２】
前記第一の位置は半径方向に圧縮された位置であり、前記第二の位置は半径方向に拡開された位置である、請求項１に記載のトランスデューサ・アセンブリ。
【請求項３】
前記多次元トランスデューサ・アレイは、前記第二の位置において前方視界配向１３４を有するように構成されている、請求項１に記載のトランスデューサ・アセンブリ。
【請求項４】
前記半径方向支柱３６、７６の少なくとも１本が可撓性回路１１６を含んでいる、請求項１乃至３のいずれかに記載のトランスデューサ・アセンブリ。
【請求項５】
前記支持構造は、前記複数の第１の支柱３６の何本か又は全ての間に配設された周辺支柱、ウェブ又はコード１０２をさらに含む、請求項４に記載のトランスデューサ・アセンブリ。
【請求項６】
解剖学的領域を撮像するように構成されており、
前記解剖学的領域に配設されるように寸法を決められて構成されている外被エンベロープ３０と、
該外被エンベロープ３０の内部に又は上に配設されている請求項１乃至５のいずれかに記載のトランスデューサ・アセンブリ２６と
を備えた侵襲型プローブであって、
前記中央案内部材３４、７４は、前記第一の位置２５と前記第二の位置６０との間で前記支持構造を変化させることを容易にするように前記外被エンベロープ３０に対して移動する、
侵襲型プローブ。
【請求項７】
撮像用カテーテル、内視鏡、腹腔鏡、手術用プローブ、経食道プローブ、経膣プローブ、経直腸プローブ、腔内プローブ、又は介入型処置向けに構成されたプローブを含んでいる請求項６に記載の侵襲型プローブ。
【請求項８】
前記解剖学的領域の内部の１又は複数の関心領域での治療の必要性を評価して前記解剖学的領域の内部の前記１又は複数の関心領域に治療を施すことを容易にするようにさらに構成されている請求項６または７に記載の侵襲型プローブ。
【請求項９】
前記侵襲型プローブ２８の全長を貫通するように構成された作動ポート１５２と、
前記侵襲型プローブ２８に対して伸縮自在に構成された治療構成要素１４２と、
を備える、請求項６乃至８のいずれかに記載の侵襲型プローブ。
【請求項１０】
請求項６乃至９のいずれかに記載の侵襲型プローブと、
該侵襲型プローブによる画像を表示する表示器２０と、オペレータの入力を受けるびユーザ・インタフェイス２２とを含む、イメージング・システム１８と、
を備える、システム１０。
【発明の詳細な説明】
【技術分野】
【０００１】
本発明の実施形態は一般的には、トランスデューサ・アセンブリに関し、さらに具体的には、空間を制約される応用における実時間撮像のためのトランスデューサ・アセンブリに関する。
【背景技術】
【０００２】
音波トランスデューサのようなトランスデューサが医用撮像に応用されており、かかる応用では、音波プローブを患者に押圧して把持し、プローブが超音波を送受する。すると、受波されたエネルギが、患者の体内組織の撮像を容易にすることができる。例えば、トランスデューサを用いて患者の心臓を撮像することができる。
【特許文献１】米国特許出願公開第２００５０２０３３９４号公報
【発明の開示】
【発明が解決しようとする課題】
【０００３】
典型的な侵襲型プローブは、小型トランスデューサ・アセンブリをプローブの末梢側端部に配設して含み得る。プローブは、例えば一次元フェーズド・アレイ・トランスデューサを含み得る。認められるように、トランスデューサ・アセンブリの空間分解能は、超音波撮像のような撮像応用において重要な因子である。加えて、空間を制約される応用での高品質の実時間三次元撮像容積の取得は、プローブの限定された空間の内部に収容され得る信号導体の数に不都合に依存する。また、空間を制約される応用向けに寸法を決められて構成されているトランスデューサ・アセンブリの物理的寸法は相対的に小さいため、残念ながらトランスデューサ・アセンブリのアパーチャ（開口）が限定される。このため、距離と共に急速に発散する超音波ビームが発生され、これにより、空間分解能が低くなって画質が劣化する。結果的に、医師が解剖学的関心領域及び生理学的関心領域を識別する能力が損なわれる場合がある。
【０００４】
超音波撮像用カテーテルのような現状で入手可能な撮像用カテーテルは典型的には、側方視界配向を有しており、超音波ビーム方向が撮像用カテーテルの長軸に対して全体的に垂直になっている。前方視界型カテーテルも登場しているが、アパーチャが小さく、固定されていて、分解能が低く深度が小さい。また、従来思量されている解決策では、一次元カテーテル・トランスデューサを組み入れて、カテーテル全体を回転させることにより三次元画像を得ている。しかしながら、結果として生ずる画像は、実時間では得られない。
【０００５】
さらに、従来思量されている実時間三次元撮像のための解決策は、二次元アレイを用いて、角錐型の容積にわたって超音波ビームを操舵し集束させている。しかしながら、これらの二次元アレイの多くは、音響アパーチャ空間を十分にサンプリングするために比較的多数の相互接続を必要とし、結果として経費及び複雑さが増大する。
【課題を解決するための手段】
【０００６】
簡潔に述べると、本発明の各観点によれば、トランスデューサ・アセンブリが提供される。このトランスデューサ・アセンブリは、第一の位置と第二の位置との間で可逆的に変化するように構成されている支持構造を含んでいる。加えて、トランスデューサ・アセンブリは、トランスデューサ素子の複数Ｎ組の一次元部分群を支持構造に配置して含む多次元トランスデューサ・アレイを含んでおり、トランスデューサ素子のＮ組の部分群の各々は、トランスデューサ素子のＮ組の部分群の１組と、トランスデューサ素子の少なくとも１組の他の部分群との間に形成される角度が約１８０°未満となるような空間的関係として配設され、Ｎは整数である。
【０００７】
この手法のさらに他の観点によれば、解剖学的領域を撮像するように構成されている侵襲型プローブが提供される。この侵襲型プローブは、解剖学的領域に配設されるように寸法を決められて構成されている外被エンベロープを含んでいる。さらに、侵襲型プローブは、外被エンベロープに移動自在に配設されているトランスデューサ・アセンブリを含んでおり、トランスデューサ・アセンブリは、第一の位置と第二の位置との間で可逆的に変化するように構成されている支持構造を含んでおり、支持構造は、基部側端部及び末梢側端部を有する中央案内部材と、中央案内部材の末梢側端部に移動自在に結合されている複数の支柱と、中央案内部材及び複数の支柱に結合されて支持構造を第一の位置と第二の位置との間で変化させることを容易にする摺動部材とを含んでいる。トランスデューサ・アセンブリはまた、トランスデューサ素子の複数Ｎ組の部分群を支持構造に配置して含む多次元トランスデューサ・アレイを含んでおり、トランスデューサ素子のＮ組の部分群の各々は、トランスデューサ素子のＮ組の部分群の各々と、トランスデューサ素子の少なくとも１組の他の部分群との間に形成される角度が約１８０°未満となるような空間的関係として配設され、Ｎは整数である。
【０００８】
本発明の手法のさらにもう一つの観点によれば、システムが提供される。このシステムは、画像データを取得するように構成されている取得サブシステムを含んでおり、取得サブシステムは、解剖学的領域を撮像するように構成されている侵襲型プローブを含んでおり、侵襲型プローブは、解剖学的領域に配設されるように寸法を決められて構成されている外被エンベロープと、この外被エンベロープに移動自在に配設されているトランスデューサ・アセンブリとを含んでいる。さらに、トランスデューサ・アセンブリは、第一の位置と第二の位置との間で可逆的に変化するように構成されている支持構造と、トランスデューサ素子の複数Ｎ組の部分群を支持構造に配置して含む多次元トランスデューサ・アレイとを含んでおり、トランスデューサ素子のＮ組の部分群の各々は、トランスデューサ素子のＮ組の部分群の各々と、トランスデューサ素子の少なくとも１組の他の部分群との間に形成される角度が約１８０°未満となるような空間的関係として配設され、Ｎは整数である。トランスデューサ・アセンブリの支持構造は、基部側端部及び末梢側端部を有する中央案内部材と、中央案内部材の末梢側端部に結合されている複数の支柱と、中央案内部材及び複数の支柱に移動自在に結合されて支持構造を第一の位置と第二の位置との間で変化させることを容易にする摺動部材とを含んでいる。加えて、このシステムは、取得サブシステムに関連して動作して、取得サブシステムを介して取得された画像データを処理するように構成されている処理サブシステムを含んでいる。
【０００９】
本発明の手法のさらに他の観点によれば、トランスデューサ・アセンブリを有する侵襲型プローブを用いる方法が提供される。この方法は、トランスデューサ・アセンブリが第一の位置にあって侵襲型プローブの外被エンベロープの内部に配設されている状態で、解剖学的領域の内部の関心領域に近接して侵襲型プローブを配置するステップを含んでいる。方法はまた、トランスデューサ・アセンブリが侵襲型プローブの末梢側端部の外部に配置されるように外被エンベロープの内部からトランスデューサ・アセンブリを伸長させるステップを含んでいる。さらに、方法は、トランスデューサ・アセンブリの位置を第一の位置から第二の拡開位置へ変化させるようにトランスデューサ・アセンブリを展開するステップを含んでおり、トランスデューサ・アセンブリは、第一の位置と第二の位置との間で可逆的に変化するように構成されている支持構造と、トランスデューサ素子の複数Ｎ組の部分群を支持構造に配置して含む多次元トランスデューサ・アレイとを含んでおり、トランスデューサ素子のＮ組の部分群の各々は、トランスデューサ素子のＮ組の部分群の各々とトランスデューサ素子の少なくとも１組の他の部分群との間に形成される角度が約１８０°未満となるような空間的関係として配設され、Ｎは整数である。
【００１０】
本発明の手法のさらにもう一つの観点によれば、トランスデューサ・アセンブリを有する侵襲型プローブを用いる方法が提供される。この方法は、トランスデューサ・アセンブリが第一の位置にあって侵襲型プローブの外被エンベロープの内部に配設されている状態で、解剖学的領域の内部の関心領域に近接して侵襲型プローブを配置するステップを含んでいる。さらに、方法は、トランスデューサ・アセンブリが侵襲型プローブの末梢側端部の外部に配置されるように外被エンベロープの内部からトランスデューサ・アセンブリを伸長させるステップを含んでいる。加えて、方法は、第一の格納位置において撮像を行なうステップを含んでいる。方法はまた、拡大した音響アパーチャを形成するように第一の格納位置から第二の拡開位置までトランスデューサ・アセンブリの位置を移行させるステップを含んでいる。さらに、方法は、第二の拡開位置において撮像を行なうステップを含んでおり、トランスデューサ・アセンブリは、第一の位置と第二の位置との間で可逆的に変化するように構成されている支持構造と、トランスデューサ素子の複数Ｎ組の部分群を支持構造に配置して含む多次元トランスデューサ・アレイとを含んでおり、トランスデューサ素子のＮ組の部分群の各々は、トランスデューサ素子のＮ組の部分群の各々と、トランスデューサ素子の少なくとも１組の他の部分群との間に形成される角度が約１８０°未満となるような空間的関係として配設され、Ｎは整数である。
【発明を実施するための最良の形態】
【００１１】
本発明のこれらの特徴、観点及び利点、並びに他の特徴、観点及び利点は、以下の詳細な説明を添付図面を参照しながら精読するとさらに十分に理解されよう。図面は説明の目的で掲げられており、図面では類似の参照符号は図面全体を通して類似の部材を表わしている。
【００１２】
以下に述べるように、本発明の手法の各実施形態は、支持構造を有するトランスデューサ・アセンブリと、第一の半径方向に圧縮された位置から第二の半径方向に拡開された位置まで可逆的に移行し得るように構成されている多次元トランスデューサ・アレイとを含んでいる。
【００１３】
以下で説明される実施形態の各例は超音波イメージング・システムのような医療イメージング・システムの設定で記載されるが、輸送管路検査システム、液体反応器検査システム等の産業用イメージング・システム並びに非破壊評価及び検査システム等のような他のイメージング・システム及び応用も思量される。加えて、以下で図示されて記載される実施形態の各例は、超音波撮像を他の撮像モダリティ、位置追跡システム又は他のセンサ・システムと併用したマルチ・モダリティ・イメージング・システムにも応用することができる。
【００１４】
図１は、本発明の手法の各観点による撮像に用いられる例示的なシステム１０のブロック図である。システム１０は、患者１２の関心領域を表わす画像データを、プローブ１４を介して取得するように構成され得る。本書で用いられる「プローブ」との用語は、従来のカテーテル、トランスデューサ、又は撮像及び施療向けに構成された装置を含むように広く用いられている。さらに、本書で用いられる「撮像」との用語は、二次元（２Ｄ）撮像、三次元（３Ｄ）撮像、又は実時間三次元（ＲＴ３Ｄ）撮像を含むように広く用いられている。尚、ＲＴ３Ｄ撮像及び四次元（４Ｄ）撮像との用語は互換的に用いられ得ることを特記しておく。
【００１５】
本発明の手法の各観点によれば、プローブ１４は介入型処置を容易にするように構成されることができ、かかる処置においては、プローブ１４は侵襲型プローブとして機能するように構成され得る。尚、図示の実施形態はカテーテル方式のプローブの設定で記載されているが、内視鏡、腹腔鏡、手術用プローブ、経直腸プローブ、経膣プローブ、腔内プローブ、介入型処置向けに構成されたプローブ、又はこれらの組み合わせのような他の形式のプローブも本発明の手法と共に思量される。参照番号１６は、患者１２の体内に配設されたプローブ１４の部分を表わしている。
【００１６】
さらに、図示の実施形態では、イメージング・システム１８が、侵襲型プローブ１４と関連して動作する。イメージング・システム１８は、患者１２の関心領域の内部での侵襲型プローブ１４の現在位置の画像を表示するように構成され得る。イメージング・システム１８は、表示器２０及びユーザ・インタフェイス２２を含み得る。本発明の手法の各観点によれば、イメージング・システム１８の表示器２０は、侵襲型プローブ１４を介して取得された画像データに基づいてイメージング・システム１８によって形成される画像を表示するように構成され得る。
【００１７】
図２に移り、機械的に拡開するトランスデューサ・アセンブリ２６を含む侵襲型プローブ２８を展開する例示的な方法を示す模式図２４が一実施形態に従って示されている。参照番号２５は、第一の半径方向に圧縮された位置に配置されたトランスデューサ・アセンブリ２６を示す（切断図として）侵襲型プローブ２８を表わしている。
【００１８】
図示のように、侵襲型プローブ２８は全体的に、基部側端部２９及び末梢側端部３１を含んでおり、外被エンベロープ３０を含むものとして示されている。一実施形態では、トランスデューサ・アセンブリ２６は、侵襲型プローブ２８の外被エンベロープ３０の内部に配設されるものとして示されている。代替的に、もう一つの実施形態では、トランスデューサ・アセンブリ２６は、トランスデューサ・アセンブリの外被エンベロープ３０の一端に配設されていてもよい。一実施形態では、トランスデューサ・アセンブリ２６は、例えば侵襲型プローブ２８の外被エンベロープ３０の末梢側端部３１に配設されていてもよい。本発明の手法の各観点によれば、トランスデューサ・アセンブリ２６は、少なくとも第一の位置と第二の位置との間で可逆的に変化するように構成された支持構造を含み得る。さらに、図示の実施形態では、第一の位置は半径方向に圧縮された位置を含み、第二の位置は半径方向に拡開された位置を含み得る。従って、拡開されたトランスデューサ・アレイの寸法はカテーテル径によって限定されないで済む。さらに、一実施形態では、拡開された位置にあるトランスデューサ・アレイの寸法は、少なくとも二つの次元で測定した場合にカテーテル径よりも大きくてよい。拡開されたトランスデューサ・アレイが一定の径を有するように表わされ得る実施形態において、拡開されたトランスデューサ・アレイの径は、カテーテルの軸に直交する方向に測定した場合にカテーテル径よりも大きくてよい。第一の半径方向に圧縮された位置では、トランスデューサ・アセンブリ２６は、関心領域への到達のために外被エンベロープ３０の内部に嵌合するように設計された形態的要素を有するコンパクトな折り畳み状態として構成され得る。一実施形態では、トランスデューサ・アセンブリ２６は、半径方向に圧縮された位置、半径方向に拡開された位置、又はこれら両方での撮像を容易にするように構成され得る。
【００１９】
支持構造は、トランスデューサ・アセンブリ２６の中心を通って延在して侵襲型プローブ２８の各端部に対応する基部側端部２９及び末梢側端部３１を含むように画定されている中央案内部材３４を含むことができる。一実施形態では、中央案内部材３４は、ステンレス鋼、ニチノール及びチタン等のような医療装置に適した金属で構築され得る。また、中央案内部材３４は、幾つかの実施形態では、円形断面を含む多様な断面の任意のものを含み得る。かかる実施形態では、中央案内部材３４は、約０．１ｍｍ〜２ｍｍの範囲の径を有し得る。
【００２０】
一実施形態では、支持構造の第一の端部（例えば末梢側端部）は、侵襲型プローブ２８の末梢側端部３１又は該端部３１の周囲において中央ガイドに移動自在に結合され、支持構造の第二の端部（例えば基部側端部）は、中央案内部材３４の中間部分に移動自在に結合され得る。一実施形態では、支持構造は、支持構造の二つの端部の間に結合された多数の半径方向支柱３６を含んでいる。支持構造はまた、図示のようにスリップ・リングのような摺動部材４０及びヒンジ接続４２を中央案内部材３４に結合して含んでいてもよく、圧縮された位置と拡開した位置との間で支持構造を移行させることを容易にしている。参照番号４６はトランスデューサ・アセンブリ２６の第一の移動方向を表わし、中央案内部材３４に沿った摺動部材４０の引き続いての移動方向は参照番号４４によって示されている。一実施形態では、半径方向支柱３６は、摺動部材４０及びヒンジ接続４２を介して中央案内部材３４に移動自在に結合されている。また、一実施形態によれば、複数の半径方向支柱３６の少なくとも１本は可撓性回路を含み得る。可撓性回路は、幾つかの実施形態では、ポリイミド基材の上に設けられた単層又は多層の銅回路（１又は複数）を含み得る。
【００２１】
幾つかの実施形態では、２個以上のトランスデューサ素子（図示されていない）を支持構造に構成して、関心領域の撮像を容易にすることができる。一実施形態では、１又は複数のトランスデューサ素子が、半径方向支柱３６の各々に配設されていてもよい。参照番号３８は、２個以上のトランスデューサ素子を配設した半径方向支柱を表わしている。さらに、トランスデューサ素子は、擬似ランダム・パターン、バーニヤ（vernier）・パターン、又はグレーティング・ローブ及び他のビーム形成に関わるアーティファクトを最小に抑えることを容易にするその他パターンとして半径方向支柱の上に構成され得る。トランスデューサ素子としては、ジルコン酸チタン酸鉛（ＰＺＴ）トランスデューサ素子、容量型微細加工超音波トランスデューサ（ｃＭＵＴ）素子又はポリビニリデンフルオリド・アレイ（ＰＶＤＦ）型トランスデューサ素子等がある。
【００２２】
現状で思量される構成では、トランスデューサ素子は、トランスデューサ素子の部分群を形成するように半径方向支柱３８の上に構成されることができる。一実施形態では、半径方向支柱３８は、トランスデューサ素子の「Ｎ」組（Ｎは整数値）の部分群を含み得る。一実施形態では、トランスデューサ素子のＮ組の部分群は、１本の半径方向支柱の上のトランスデューサ素子の部分群の１組と、もう１本の半径方向支柱の上のトランスデューサ素子の少なくとも１組の他の部分群との間に形成される角度が約１８０°未満となるようにして支持構造の上に構成され得る。一実施形態では、トランスデューサ・アセンブリ２６の各々の隣り合った半径方向支柱同士の間の分離角は実質的に同等であり、次の関係に従って決定され得る。
【００２３】
分離角＝（２×１８０／半径方向支柱の本数）                （１）
式中、分離角度は度単位で測定され得る。
【００２４】
例えば、一実施形態では、４本の半径方向支柱を有するトランスデューサ・アセンブリにおいて各々の隣り合った半径方向支柱同士の間の角度の測定値は約９０°に等しくてよい。一実施形態では、支持構造はまた、半径方向支柱３６に結合されているスペーサ（図示されていない）を含み得る。図５を参照して後に改めて詳述するように、スペーサは、拡開位置にある半径方向支柱３６同士の間の間隔を制御するように構成され得る。尚、幾つかの実施形態では、半径方向支柱３８の各々又は半径方向支柱３８の部分集合にトランスデューサ素子の２組以上の部分群が構成されていてもよいことを特記しておく。加えて、トランスデューサ素子の各部分群をまとめて多次元トランスデューサ・アレイと呼ぶことができる。
【００２５】
本発明の手法のさらに他の観点によれば、トランスデューサ・アセンブリ２６のような機械的に拡開するトランスデューサ・アセンブリを有する侵襲型プローブ２８を用いて、限定しないが心内エコー心撮影法、経食道プローブ・エコー心撮影法、小児エコー心撮影法、腹腔手術のような空間を制約される応用での撮像を容易にすることができる。さらに具体的には、トランスデューサ・アセンブリ２６を装備した侵襲型プローブ２８を用いて高品質ＲＴ３Ｄ画像容積を得ることができる。
【００２６】
例示的なトランスデューサ・アセンブリ２６を有する侵襲型プローブ２８を用いた撮像の方法は、患者１２の解剖学的領域の内部の関心領域に近接して侵襲型プローブ２８を配置するステップを含み得る。侵襲型プローブ２８は、血管系の内部で侵襲型プローブ２８を監視しながら案内するフルオロスコピィのような方法を用いて、進入点から患者１２の血管系を通って所望の解剖学的位置まで案内され得る。侵襲型プローブは、例えばフルオロスコピィ撮像を用いて所望の位置まで予め案内されているガイド・ワイヤに沿って又はシースを通して送達され得る。一旦、撮像したい領域まで送達されたら、多次元トランスデューサ・アレイのトランスデューサ素子に電圧を加えて、関心領域を表わす画像データを取得することができる。画像データは侵襲型プローブ２８の外被エンベロープ３０の内部に配置された状態（例えば半径方向に圧縮された構成）又は外被エンベロープ３０の外部に配置された状態（例えば半径方向に圧縮された構成若しくは拡開された構成）にあるトランスデューサ・アセンブリ２６を介して取得され得る。尚、半径方向に圧縮された位置にあるトランスデューサ・アセンブリ２６を用いることにより多数の画像平面を取得し得ることを特記しておく。例えば、トランスデューサ・アセンブリ２６の各々の「アーム」を、別個の画像平面を取得するように独立に動作するように構成することができる。
【００２７】
上で示唆したように、トランスデューサ・アセンブリ２６は、関心領域を撮像するためにトランスデューサ・アセンブリ２６が侵襲型プローブ２８の末梢側端部３１の外部に配置されるように、外被エンベロープ３０の内部から移動され得る。参照番号４８は、トランスデューサ・アセンブリ２６が侵襲型プローブ２８の末梢側端部３１の外部に配置されている場合の侵襲型プローブ２８を表わしている。一実施形態では、トランスデューサ・アセンブリ２６及び中央案内部材３４は末梢側端部３１の外部に延在していてよい。
【００２８】
一旦、トランスデューサ・アセンブリ２６が侵襲型プローブ２８の末梢側端部３１の外部に配置されたら、トランスデューサ・アセンブリ２６を第一の半径方向に圧縮された位置から、トランスデューサ・アセンブリ２６のアパーチャがカテーテルの径によって制限されないような第二の半径方向に拡開された位置まで移行させることができる。さらに、一実施形態では、拡開位置にあるトランスデューサ・アレイの寸法は、少なくとも二つの次元で測定した場合にカテーテル径よりも大きくてよい。拡開されたトランスデューサ・アレイが一定の径を有するように表わされ得る実施形態において、拡開されたトランスデューサ・アレイの径は、カテーテルの軸に直交する方向に測定した場合にカテーテル径よりも大きくてよい。例えば、心内カテーテルの径は約１〜４ｍｍの範囲にあってよく、第二の拡開位置にあるトランスデューサ・アセンブリ２６のアパーチャは約３ｍｍ〜３０ｍｍの範囲にあってよい。
【００２９】
参照番号５２は、トランスデューサ・アセンブリ２６が半径方向に圧縮された位置と半径方向に拡開された位置との間にある中間的な位置又は部分的に展開された位置にある場合を示した侵襲型プローブ２８を表わしている。関心領域を表わす画像データは、部分的に展開された位置にあるトランスデューサ・アセンブリ２６を介しても取得され得る。尚、部分的に展開された位置にあるトランスデューサ・アセンブリ２６を用いて多数の画像平面を得ることができることを特記しておく。例えば、トランスデューサ・アセンブリ２６の各アームを、展開の中間的な位置にある間のアームの位置に依存して位相を共に揃えることができる。代替的には、各アームが多数の画像平面を取得するように独立に動作してもよい。一実施形態では、前方の半球全体の撮像を、トランスデューサ・アセンブリ２６の各アームを、カテーテル軸に関して測定した場合に約４５°に配置した状態で行なうことができる。
【００３０】
トランスデューサ・アセンブリ２６の半径方向に拡開された位置への展開は、幾つかの実施形態では、メカニカル・ワイヤの利用を介して行なうことができる。代替的には、形状記憶材料を用いてトランスデューサ・アセンブリ２６の展開を容易にしてもよい。さらに、電気起動型高分子アクチュエータを用いて形成されたヒンジを用いて、トランスデューサ・アセンブリ２６を半径方向に圧縮された位置から半径方向に拡開された位置へ移行させるのを支援してもよい。幾つかの他の実施形態では、トランスデューサ・アセンブリ２６は、半径方向に圧縮された位置から中間的な位置又は部分的に展開された位置までヒンジ接続４２を半径方向支柱３６に関して参照番号５８によって表わされる方向に引き込むことにより移行させることができる。他の実施形態では、トランスデューサ・アセンブリ２６は、ヒンジ接続４２を固定位置に保ちつつ中間的な又は部分的に展開された位置までスリップ・リング４０を中央案内部材３４に沿って参照番号５６によって示す方向に伸長させることにより移行させることができる。
【００３１】
参照番号６０は、完全に半径方向に拡開された位置にあるトランスデューサ・アセンブリ２６を有する侵襲型プローブ２８を表わしている。前述のように、半径方向に拡開された位置にあるトランスデューサ・アセンブリ２６の音響アパーチャは、約３ｍｍ〜３０ｍｍの範囲にあってよいが、さらに大きい音響アパーチャも可能である。半径方向に拡開された位置にあるトランスデューサ・アセンブリ２６は、前方視界配向を有するように構成され得ることを特記しておく。加えて、半径方向に拡開された位置にあるトランスデューサ・アセンブリ２６を用いて関心領域を表わす画像データを取得することができる。さらに具体的には、半径方向に拡開された位置にあるトランスデューサ・アセンブリ２６を用いて画像データを取得することができる。
【００３２】
一旦、画像データが参照番号６０の拡開された構成にあるトランスデューサ・アセンブリ２６を介して取得されたら、トランスデューサ・アセンブリ２６を半径方向に圧縮された位置に戻すように移行させることができる。トランスデューサ・アセンブリ２６は、摺動部材４０を第二の方向（方向４４の反対方向）に中央案内部材３４に沿って移動させることにより、半径方向に拡開された位置から半径方向に圧縮された位置まで移行することができる。幾つかの他の実施形態では、トランスデューサ・アセンブリ２６を、プル・ワイヤ（図示されていない）又はアクティブ・ヒンジ（図示されていない）の利用を介して半径方向に圧縮された位置まで移行させてもよい。
【００３３】
続いて、半径方向に圧縮された位置にあるトランスデューサ・アセンブリ２６は、トランスデューサ・アセンブリ２６が侵襲型プローブ２８の外被エンベロープ３０の内部に再度配置されるように格納され得る。次いで、侵襲型プローブ２８は半径方向に圧縮された位置にあるトランスデューサ・アセンブリ２６と共に、例えば医師によって患者の解剖学的構造から除去され得る。
【００３４】
認められるように、複数のトランスデューサ素子のそれぞれの位置は、トランスデューサ・アセンブリ２６が半径方向に圧縮された位置と半径方向に拡開された位置との間を移行する間に位置変位を経験し得る。このようなものとして、複数のトランスデューサ素子を介して取得された画像データを用いた高品質画像の形成を容易にするために、トランスデューサ・アセンブリ２６における複数のトランスデューサ素子の正確な位置を決定する（例えば適当な位相変移を許すような波長の分数の範囲内で）ことが望ましい。幾つかの実施形態では、適応型ビーム形成手法を用いて複数のトランスデューサ素子の変化及び／又は位置変位を補償することができる。次いで、取得された画像データを用いて画像を形成し、例えばイメージング・システム１８（図１を参照）の表示器２０（図１を参照）に表示させることができる。
【００３５】
以上に記載しているようなトランスデューサ・アセンブリ２６を具現化することにより、半径方向に拡開された位置にあるトランスデューサ・アセンブリ２６を用いて品質が相対的に高められたＲＴ３Ｄ画像容積を得ることができる。加えて、以上に記載したトランスデューサ・アセンブリ２６を、半径方向に圧縮された位置にあるトランスデューサ・アセンブリ２６が空間を制約された侵襲型プローブ２８の内部に嵌合するように構成され得るような代替的なコンパクト構造を有するように構成することができる。結果的に、限定しないが心内エコー心撮影法、経食道プローブエコー心撮影法、小児エコー心撮影法、腹腔鏡手術のような最小限の侵襲性を有する応用向けに構成された細型プローブを用いて挿脱されることもできる大開口トランスデューサ・アセンブリ２６を用いて、高品質ＲＴ３Ｄ画像容積を取得することができる。
【００３６】
図３に移り、機械的に拡開するトランスデューサ・アセンブリの代替的な実施形態を含む侵襲型プローブ２８を展開させる例示的な方法を示す模式図６４が示されている。参照番号６６は、第一の半径方向に圧縮された位置にある機械的に拡開するトランスデューサ・アセンブリ７２を含む侵襲型プローブ２８を表わしている。
【００３７】
図２のトランスデューサ・アセンブリ２６に関して前述したように、トランスデューサ・アセンブリ７２はまた、トランスデューサ・アセンブリ７２を支持した支持構造を含み得る。かかる支持構造は、第一の（基部側）端部２９及び第二の（末梢側）端部３１を有する中央案内部材７４を含むことができ、第一の位置から第二の位置までトランスデューサ・アセンブリ７２を移行させることを容易にするように構成され得る。第一の位置は半径方向に圧縮された位置を含み、第二の位置は半径方向に拡開された位置を含むことができ、半径方向に拡開された位置にあるトランスデューサ・アセンブリ７２の音響アパーチャは、前述したようにカテーテルの径によって制限されない。
【００３８】
加えて、トランスデューサ・アセンブリ７２は複数の支柱７６を含むことができ、これら複数の支柱がそれぞれの基部側端部及び末梢側端部を有する。現状で思量される構成では、複数の支柱７６のそれぞれの基部側端部は、図３に示すように、中央案内部材７４の末梢側端部において中央案内部材７４に結合され得る。複数の支柱７６は、幾つかの実施形態ではワイヤで形成され得る。さらに具体的には、支柱７６は、例えば形状記憶ワイヤ若しくはばねワイヤで形成され又は他の場合にはかかるワイヤを含み得る。形状記憶ワイヤは、幾つかの実施形態ではニチノールを含んでいてよい。形状記憶ワイヤ又はばねワイヤは、参照番号７８によって全体的に表わすように、侵襲型プローブ２８の外被エンベロープ３０の内部から一定の移動方向に伸長されるときに、トランスデューサ・アセンブリ７２を半径方向に圧縮された位置から半径方向に拡開された位置まで自動的に移行させるように構成され得る。
【００３９】
さらに、複数の支柱７６に複数のトランスデューサ素子（図示されていない）を配設してもよい。トランスデューサ素子は、まとめて多次元トランスデューサ・アレイを形成するトランスデューサ素子の部分群として物理的に又は電気的に構成され得る。一実施形態では、支柱７６は、トランスデューサ素子のＮ組（Ｎは整数値）の部分群を含んでいてよい。一実施形態では、トランスデューサ素子のＮ組の部分群は、１本の支柱の上のトランスデューサ素子の部分群の１組と、もう１本の支柱の上のトランスデューサ素子の少なくとも１組の他の部分群との間に形成される角度が約１８０°未満となるようにして支持構造の上に配置され得る。
【００４０】
例示的なトランスデューサ・アセンブリ７２を有する侵襲型プローブ２８を用いて撮像する方法が、図２を参照して前述したように、侵襲型プローブ２８を解剖学的領域の内部の関心領域に配置するステップを含み得る。続いて、参照番号８０によって示すように、トランスデューサ・アセンブリ７２を、トランスデューサ・アセンブリ７２が侵襲型プローブ２８の末梢側端部３１の外部に配置されるように、外被エンベロープ３０の内部から伸長させることができる。一実施形態では、外被エンベロープ３０は、トランスデューサ・アセンブリを半径方向に圧縮された構成に保つように作用する。トランスデューサ・アセンブリ７２が外被エンベロープ３０の外部に伸長されるにつれて、支柱７６は自由に拡開して半径方向に拡開された構成を成す。参照番号８０は、トランスデューサ・アセンブリ７２が外被エンベロープ３０の内部から伸長して部分的に展開された位置に構成されている場合の侵襲型プローブ２８を表わしている。さらに、支柱７６の拡開方向が、参照番号８２によって全体的に表わされ得る。
【００４１】
参照番号８４は、トランスデューサ・アセンブリ７２が半径方向に拡開された位置に構成されている場合の侵襲型プローブ２８を示している。前述のように、トランスデューサ・アセンブリ７２を半径方向に拡開された位置に移行させて、カテーテルの径よりも大きい音響アパーチャを形成することができる。関心領域を表わす画像データが、半径方向に拡開された位置にあるトランスデューサ・アセンブリ７２を介して取得され得る。さらに、図２を参照して前述したように、関心領域を表わす画像データを、半径方向に圧縮された位置、第二の半径方向に拡開された位置又はこれらの間の位置にあるトランスデューサ・アセンブリ７２を介して得ることもできる。
【００４２】
半径方向に拡開された位置にあるトランスデューサ・アセンブリ７２を用いた画像データの取得に続いて、トランスデューサ・アセンブリ７２は引き続き侵襲型プローブ２８の外被エンベロープ３０に格納され得る。一実施形態では、半径方向に拡開された位置にあるトランスデューサ・アセンブリ７２の侵襲型プローブ２８の外被エンベロープ３０への格納によって支柱７６が押されて、共にトランスデューサ・アセンブリ７２を半径方向に圧縮された位置に移行させる。
【００４３】
さらに、適応型ビーム形成手法を用いて、図２を参照して前述したように複数のトランスデューサ素子の位置変位及び／又は変化を補償することができる。続いて、関心領域を表わす画像を、取得された画像データを用いて形成することができ、次いで、この画像をイメージング・システム１８（図１を参照）のようなイメージング・システムの表示器２０（図１を参照）のような表示器に表示させることができる。
【００４４】
図４は、図２〜図３に示すトランスデューサ・アセンブリ２６（図２を参照）又はトランスデューサ・アセンブリ７２（図３を参照）のような機械的に拡開するトランスデューサ・アセンブリの端面図９０であり、トランスデューサ・アセンブリ２６／７２が半径方向に拡開された位置として示されている。前述のように、機械的に拡開するトランスデューサ・アセンブリは、例えば半径方向支柱３６／７６のような複数の支柱を含んでいる。さらに、前述のように、複数のトランスデューサ素子９２が半径方向支柱３６／７６の各々に配設されて、トランスデューサ素子の部分群を形成し得る。加えて、上述したように、トランスデューサ素子の部分群は、１本の第一の半径方向支柱３６／７６の上のトランスデューサ素子の第一の部分群と、少なくとも１本の他の半径方向支柱３６／７６の上のトランスデューサ素子の第二の部分群との間に形成される角度が約１８０°未満となるような空間的関係として構成され得る。例えば、参照番号９４は、トランスデューサ素子の第一の部分群とトランスデューサ素子の第二の部分群との間に形成される角度を表わしており、角度９４は約１８０°未満である。
【００４５】
図４に示す機械的に拡開するトランスデューサ・アセンブリでは、８本の撮像アーム（支柱７６に対応する）が示されている。一般的には、支柱３６／７６（及び付設されるトランスデューサ素子）が多く用いられるほど、撮像アパーチャがさらに充填された状態となり（例えば疎らでなくなり）、より多くのサイドローブ及びグレーティング・ローブを抑制することができる。このことから画質を高める作用が得られ、例えば、コントラストが高まりアーティファクトが少なくなる。幾つかの実施形態では、グレーティング・ローブ及びサイド・ローブの存在は、グレーティング・ローブ及びサイド・ローブの送受波積が最小となるようにグレーティング・ローブ及びサイド・ローブを異なる角度位置に配置する特定のトランスデューサ素子部分群を送受時に用いることにより、低減され得る。
【００４６】
図５は、トランスデューサ・アセンブリ２６（図２を参照）又はトランスデューサ・アセンブリ７２（図３を参照）のような機械的に拡開するトランスデューサ・アセンブリの代替的な実施形態の端面図１００である。このトランスデューサ・アセンブリは、完全に展開された半径方向に拡開された位置として示されている。本発明の手法のさらに他の観点によれば、スペーサを半径方向支柱３６／７６に結合して、半径方向に拡開された位置での半径方向支柱３６／７６同士の間の間隔を制御することができる。図５の図示の実施形態に示すように、スペーサは、半径方向支柱３６／７６の何本か又は全ての間に配設された周辺支柱１０２を含み得る。一実施形態では、これら複数の周辺支柱１０２は、半径方向支柱３６／７６の各々の末梢側端部同士の間に結合され得る。加えて、トランスデューサ素子１０４が、周辺支柱１０２の１又は複数に配設されて、トランスデューサ素子のそれぞれの周辺部分群を形成することもできる。本発明の手法のさらに他の観点によれば、スペーサはまた、半径方向支柱３６／７６同士の間に結合されたウェブ又はコードの形態を摂っていてもよい。一実施形態では、コード型スペーサは細く可撓性であり、「支柱」型スペーサは比較的剛性であり得る。支柱１０２は、各半径方向支柱３６／７６を強制的に離隔して、固定された間隔に保つように作用し得る。一実施形態では、コードは全ての半径方向支柱を連結することができ（図５に示すように）、半径方向支柱又は中央のヒンジが半径方向支柱を開放形に保つように作用して、コードを張った状態にする。そして、コードの役割は、一様な間隔を保つこと、及びおそらくはトランスデューサ素子１０４を支持することにある。コード型スペーサを用いる利点は、細く可撓性であるためスペーサをさらに容易に畳み込んでカテーテル内に嵌合させ得ることである。
【００４７】
周辺支柱を含めてスペーサを用いる利点としては、半径方向支柱のさらに正確で再現可能な配置によって位相変移誤差を低減すること、又は位置のばらつきを補償するために適応型撮像を用いるという要求を小さくすることである。加えて、スペーサがトランスデューサ素子を支持している場合には、これらのトランスデューサ素子がアパーチャを充填することを助け、これにより画質（例えば深度及びコントラスト）を高める。
【００４８】
図６は、ウェブ付きトランスデューサ・アレイ１１４を含むトランスデューサ・アセンブリ２６（図２を参照）又はトランスデューサ・アセンブリ７２（図３を参照）のような機械的に拡開するトランスデューサ・アセンブリのさらにもう一つの実施形態の端面図１１０である。かかるウェブ付きトランスデューサ・アレイ１１４は、ポリビニリデンフルオリド（ＰＶＤＦ）のような圧電ポリマーのウェブ構成を金属化して分極処理することにより形成される複数のトランスデューサ素子１１８を含んでいてよい。代替的には、従来のＰＺＴ音響積層体を可撓性基材（例えばポリイミド・フレックス回路）の上に構築してもよいし、積層体をダイス加工して２Ｄアレイを形成してもよい。ダイス加工の深さは、ポリイミドまで又はポリイミドに僅かに進入するまで延在すべきであり、すると結果が可撓性となる。ダイス加工の「ストリート」は比較的広くすべきであり、するとアレイを、カテーテルの内部に嵌合するように素子の前面同士及び背面同士を突き合わせて折り畳むことができる。尚、可撓性基材１１６は第一の面及び第二の面を有することができ、トランスデューサ素子１１８は可撓性基材１１６の第一の面に配設されてもよいし、可撓性基材１１６の第二の面に配設されてもよいし、又は両面に配設されてもよい。図６に示す構成は、より稠密にサンプリングされる２Ｄアレイを提供する。これにより信号対雑音比が高まり、従って画像深度が大きくなり、またグレーティング・ローブ及びサイド・ローブを低減し、従って画像コントラストを高めることができる。
【００４９】
図７には、前方視界型三次元容積配向の侵襲型プローブ２８の実施形態の一例の遠近図１３０が示されている。応用に依存して、トランスデューサを用いて図示の３Ｄ容積１３４の全て又は一部のみを撮像することができる。例えば、完全容積を撮像すると、完全なレンダリングされた３Ｄビューが得られるが、同じ容積の内部の２枚又は３枚のみのスライス（例えばアレイの輻に平行に）のみを撮像すると遥かに速い画像更新速度が可能になる。前述のように、侵襲型プローブ２８は、外被エンベロープ３０と、トランスデューサ・アセンブリ２６（図２を参照）又はトランスデューサ・アセンブリ７２（図３を参照）のようなトランスデューサ・アセンブリとを含むものとして図示されている。図示の実施形態では、トランスデューサ・アセンブリ２６／７２は完全に展開された位置として示されている。参照番号１３４は、例示的な機械的に拡開するトランスデューサ・アセンブリ２６／７２を有する侵襲型プローブ２８の三次元前方視界型撮像容積を表わしている。
【００５０】
上述したように、例えば図２〜図６に示す構成のような機械的に拡開するトランスデューサ・アセンブリの様々な構成を装備した侵襲型プローブ２８を用いて、患者の解剖学的構造の内部の１又は複数の関心領域の撮像を容易にすることができる。本発明の手法の各観点によれば、機械的に拡開するトランスデューサ・アセンブリの１又は複数の構成を装備した侵襲型プローブ２８を、施療を支援するように構成することもできる。図８は、前方視界型三次元容積配向を有し、治療を施すようにさらに構成されている侵襲型プローブ２８の一実施形態の遠近図１４０である。トランスデューサ・アセンブリ２６／７２（図２〜図３を参照）は半径方向に拡開された位置として示されていることを特記しておく。
【００５１】
関心領域の撮像を容易にすることに加えて、機械的に拡開するトランスデューサ・アセンブリ２６／７２を有する侵襲型プローブ２８を用いて、解剖学的領域における１又は複数の関心領域への施療を容易にすることもできる。前述したように、撮像及び／又は施療に先立って侵襲型プローブ２８を関心領域に配置することができる。幾つかの実施形態では、侵襲型プローブ２８の解剖学的構造の内部への配置は、フルオロスコピィの案内に従って行なわれ得る。
【００５２】
本発明の手法の各観点によれば、侵襲型プローブ２８は、解剖学的領域を撮像して、撮像されている患者１２（図１を参照）の解剖学的領域の内部の１又は複数の関心領域での治療の必要性を評価するのを容易にするように構成することができる。加えて、侵襲型プローブ２８はまた、識別された１又は複数の関心領域に治療を施すように構成されてもよい。従って、侵襲型プローブ２８はまた、関心領域に治療を施すように構成され得る治療構成要素１４２を含み得る。
【００５３】
本書で用いられる「治療」とは、アブレーション、経皮的エタノール注射（ＰＥＩ）、寒冷療法、及びレーザ誘導温熱療法を表わしている。加えて、「治療」はまた、例えば遺伝子治療を施すための針又は生検用鉗子のような用具の送達を含み得る。加えて、本書で用いられる「施療」又は「治療を施す」（delivery）とは、１若しくは複数の関心領域に治療を輸送する、又は１若しくは複数の関心領域に治療を差し向ける等のように１又は複数の関心領域に治療を加える様々な手段を含んでいてよい。認められるように、幾つかの実施形態では、ＲＦアブレーションのような施療は、治療を要する１又は複数の関心領域との物理的な接触を必要とする場合がある。但し、幾つかの他の実施形態では、高強度集束超音波（ＨＩＦＵ）エネルギのような施療は、治療を要する１又は複数の関心領域との物理的接触を必要としない場合もある。
【００５４】
一実施形態では、イメージング・システム１８（図１を参照）のようなイメージング・システムは、治療構成要素１４２を励起させて１又は複数の関心領域に治療を施すための制御信号を侵襲型プローブ２８に供給するように構成され得る。一実施形態では、侵襲型プローブ２８の治療構成要素１４２は、伸縮自在の装置を含み得る。さらに具体的には、治療構成要素１４２は、電気生理学的マッピング電極、監視用又はアブレーション用電極、生検針、心房中隔穿刺針、端部レンズ付き光ファイバ、端部から延在するサンプル・ループ付き管、又はこれらの組み合わせを含み得る。このようなものとして図示されているが、治療装置はトランスデューサ・アレイの正中心から延在している必要はなく、ずれていてもよいし、支柱同士の間の間隔の幾つかから延在していてもよい。治療構成要素１４２の移動方向を参照番号１４６によって全体的に表わす。
【００５５】
トランスデューサ・アセンブリ２６又はトランスデューサ・アセンブリ７２のような機械的に拡開するトランスデューサ・アセンブリ及び上述したような治療構成要素１４２を有する侵襲型プローブ２８を具現化することにより、治療構成要素１４２を被撮像容積１３４と全体的に整列させて、これにより医師がさらに容易に治療構成要素１４２を効率的に案内して所望の位置に配置することを可能にする。
【００５６】
図９は、図８に示す侵襲型プローブ・アセンブリ２８の実施形態の端面図１５０である。前述したように、複数のトランスデューサ素子９２が複数の半径方向支柱３６／７６に配設されている。加えて、図９に示すように、例示的な機械的に拡開するトランスデューサ・アセンブリに加えて、侵襲型プローブ２８の管腔の内部に作動ポート１５２が配設され得る。作動ポート１５２は、格納型治療構成要素１４２の展開を容易にするように構成され得る。一実施形態では、作動ポート１５２は、侵襲型プローブ２８の全長を貫通するように構成され得る。代替的には、中央案内部材３４／７４（図８を参照）を用いて治療構成要素１４２をトランスデューサ・アセンブリに一体化してもよい。さらに、作動ポート１５２は、１又は複数の関心領域への施療を容易にするように構成され得る。作動ポート１５２を各アーム３６／７６の２本の間で中心から外して配置すれば、カテーテル全体を所定の位置まで回転させて、治療口を異なる位置まで移動させると多数の関心領域への施療が可能になる。
【００５７】
図１０は、図８に示す侵襲型プローブ２８の実施形態の側面図１６０を示す。図示の実施形態では、治療構成要素１４２は拡開された位置に示されている。
【００５８】
以上に述べた機械的に拡開するトランスデューサ・アセンブリ、及び機械的に拡開するトランスデューサ・アセンブリを有し撮像を行ない治療を施すように構成されている侵襲型プローブ、及び撮像を行ない治療を施す方法についての様々な実施形態は、処置についての撮像及び治療マッピングの観点を統合することにより、撮像を行ない治療を施す工程の効率を著しく高める。以上に述べたトランスデューサ・アセンブリを用いると、侵襲型プローブのような空間を制約される環境の内部からの高品質ＲＴ３Ｄ画像の取得が可能になる。加えて、トランスデューサ・アセンブリを拡開させて比較的大きい音響アパーチャを得ることにより、比較的小さい音響アパーチャを有するトランスデューサ・アセンブリによって形成される画像に比較して高い空間分解能を有する画像の形成が容易になる。加えて、診断用具及び／又は治療用具を一体化したトランスデューサ・アセンブリの前方視界型構成は、関心領域の強化された視覚化及び単純化された侵襲型処置を提供するため有利である。
【００５９】
本発明を限定された数の実施形態のみに関連して詳細に説明したが、本発明はかかる開示された実施形態に限定されないことは容易に理解されよう。寧ろ、本発明は、以上に記載されていないが本発明の要旨及び範囲に沿った任意の数の変形、変更、置換又は均等構成を組み入れるように改変することができる。加えて、本発明の様々な実施形態について説明したが、本発明の各観点は、所載の実施形態の幾つかのみを含み得ることを理解されたい。従って、本発明は、以上の記載によって限定されると看做されるべきでなく、特許請求の範囲によってのみ限定されるものとする。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００６０】
【図１】本発明の手法の各観点による例示的な超音波撮像及び治療システムのブロック図である。
【図２】例示的な機械的に拡開するトランスデューサ・アセンブリの一実施形態による撮像を行なう侵襲型プローブを展開する例示的な方法を示す模式図である。
【図３】例示的な機械的に拡開するトランスデューサ・アセンブリの代替的な実施形態による侵襲型プローブを用いて撮像を行なう侵襲型プローブを展開する例示的な方法を示す模式図である。
【図４】図２〜図３に示す機械的に拡開するトランスデューサ・アセンブリの実施形態の例の端面図である。
【図５】機械的に拡開するトランスデューサ・アセンブリのもう一つの実施形態の端面図である。
【図６】機械的に拡開するトランスデューサ・アセンブリのさらにもう一つの実施形態の端面図である。
【図７】前方視界型三次元容積配向を有する侵襲型プローブの実施形態の一例の遠近図である。
【図８】前方視界型三次元容積配向を有し、治療を施すように構成されている侵襲型プローブの一実施形態の遠近図である。
【図９】図８に示す侵襲型プローブの実施形態の端面図である。
【図１０】図８に示す侵襲型プローブの実施形態の遠近図である。
【符号の説明】
【００６１】
１０  撮像用システム
１２  患者
１４  プローブ
１６  体内に配設されたプローブの部分
１８  イメージング・システム
２４  侵襲型プローブを展開する方法の模式図
２５  トランスデューサ・アセンブリを示す侵襲型プローブ
２６  トランスデューサ・アセンブリ
２８  機械的に拡開する侵襲型プローブ
２９  基部側端部
３０  外被エンベロープ
３１  末梢側端部
３４  中央案内部材
３６  半径方向支柱
３８  ２個以上のトランスデューサ素子を配設した半径方向支柱
４０  摺動部材
４２  ヒンジ接続
４４  摺動部材の移動方向
４６  トランスデューサ・アセンブリの第一の移動方向
４８  トランスデューサ・アセンブリが末梢側端部の外部に配置されている場合の侵襲型プローブ
５２  トランスデューサ・アセンブリが中間的な位置又は部分的に展開された位置にある場合の侵襲型プローブ
５６  伸張させる方向
５８  引き込む方向
６０  完全に半径方向に拡開された位置にあるトランスデューサ・アセンブリを有する侵襲型プローブ
６４  機械的に拡開するトランスデューサ・アセンブリの代替的な実施形態を含む侵襲型プローブを展開させる方法の模式図
６６  第一の半径方向に圧縮された位置にある機械的に拡開するトランスデューサ・アセンブリを含む侵襲型プローブ
７２  半径方向に圧縮された位置にある機械的に拡開するトランスデューサ・アセンブリ
７４  中央案内部材
７６  支柱
７８  外被エンベロープの内部からの移動方向
８０  トランスデューサ・アセンブリが侵襲型プローブの末梢側端部の外部に配置された侵襲型プローブ
８２  支柱の拡開方向
８４  トランスデューサ・アセンブリが半径方向に拡開された位置に構成されている場合の侵襲型プローブ
９０  機械的に拡開するトランスデューサ・アセンブリの端面図
９２  トランスデューサ素子
９４  トランスデューサ素子の第一の部分群とトランスデューサ素子の第二の部分群との間に形成される角度
１００  機械的に拡開するトランスデューサ・アセンブリの端面図
１０２  周辺支柱
１０４  トランスデューサ素子
１１０  機械的に拡開するトランスデューサ・アセンブリの端面図
１１４  ウェブ付きトランスデューサ・アレイ
１１６  可撓性基材
１１８  トランスデューサ素子
１３０  前方視界型三次元容積配向の侵襲型プローブの遠近図
１３４  ３Ｄ容積
１４０  侵襲型プローブの遠近図
１４２  治療構成要素
１４６  治療構成要素の移動方向
１５０  侵襲型プローブ・アセンブリの端面図
１５２  作動ポート
１６０  侵襲型プローブの側面図
【図１】
0005520442.tif 000002
【図２】
0005520442.tif 000003
【図３】
0005520442.tif 000004
【図４】
0005520442.tif 000005
【図５】
0005520442.tif 000006
【図６】
0005520442.tif 000007
【図７】
0005520442.tif 000008
【図８】
0005520442.tif 000009
【図９】
0005520442.tif 000010
【図１０】
0005520442.tif 000011